(57)【特許請求の範囲】
【請求項１】
ケーブル（２１）を目的位置に心出しして把持するケーブル把持具（２０）であって、
ケーブル把持位置の近傍に配置される把持具本体（２３、６０、７０）と、該把持具本体に固定され、ケーブル外周面と当接されることによりケーブルをその断面方向の少なくとも１方向に位置決めする支圧面（４６、４７）を有する支圧部材（４２、６１、７１）と、心出しの目的の軸線を介して支圧面に対向配置させて前記把持具本体に取り付けられ、支圧面に対して接近することにより支圧部材との間にケーブルを把持する可動部材（２７）とを具備し、支圧部材と可動部材との間にケーブルを把持した時に、双方の間にケーブルをその断面方向に位置決めして心出しするように構成しており、
さらに、支圧部材を可動部材の移動軸線に沿った方向での位置を調整して把持具本体に固定するための固定手段（２６ａ、４８、６８、７３）を具備することを特徴とするケーブル把持具。
【請求項２】
前記固定手段が、前記把持具本体に該把持具本体の側面から入れられるネジ（２６ａ）又はピン（６８）であることを特徴とする請求項１記載のケーブル把持具。
【請求項３】
支圧部材（６１）は、把持具本体に貫通された貫通穴（６４）に挿通された支持バー（６５）を有し、支持バーの側面には、把持具本体に形成されたピン挿通孔（６７）を介して挿入される前記固定手段としての前記ピン（６８）と係合するピン係合穴（６９）が該支持バーの長手方向の複数箇所に開口され、選択したピン係合穴にピンを挿入することで可動部材の移動軸線に沿った方向での支圧部材の位置決めを行えるようになっていることを特徴とする請求項２記載のケーブル把持具。
【請求項４】
支圧部材（７１）は、表面の長手方向複数箇所に角溝（７５）が形成された係合バー（７４）を有しており、
係合バーを把持具本体の側部に突設された一対の支持レール（７３）の間に挿入し、選択した角溝を支持レールに挿入して前記固定手段としての前記支持レールに係合バーを係合することで、可動部材の移動軸線に沿った方向での支圧部材の位置決めを行えるようになっていることを特徴とする請求項１記載のケーブル把持具。
【請求項５】
ケーブル（２１）を目的位置に心出しして把持するケーブル把持具（２０）であって、
ケーブル把持位置の近傍に配置される把持具本体（２３、６０、７０）と、該把持具本体に固定され、ケーブル外周面と当接されることによりケーブルをその断面方向の少なくとも１方向に位置決めする支圧面（２５、４６、４７）を有する支圧部材（２６、４２、６１、７１）と、心出しの目的の軸線を介して支圧面に対向配置させて前記把持具本体に取り付けられ、支圧面に対して接近することにより支圧部材との間にケーブルを把持する可動部材（２７）とを具備し、支圧部材と可動部材との間にケーブルを把持した時に、双方の間にケーブルをその断面方向に位置決めして心出しするように構成しており、
互いに並行する複数本のケーブルの間に配置される支圧部材の各ケーブルに臨む両側面に支圧面を形成し、各支圧面に対して各ケーブルの心出しの目的の軸線を介して可動部材を対向配置して、支圧部材と各可動部材との間にケーブルを把持することにより心出しするとともに、把持具本体に固定する支圧部材を選択使用することで、支圧部材の両側の支圧面の間の寸法によって支圧部材の両側のケーブルの離間距離を設定できるようになっており、
前記支圧部材が、前記把持具本体に該把持具本体の側面からねじ込まれるネジ（２６ａ）によって把持部本体の側面に固定されるようになっていることを特徴とするケーブル把持具。
【発明の詳細な説明】
【０００１】
【発明の属する技術分野】
本発明は、ケーブルを目的位置に心出しして把持するケーブル把持具に関するものである。
【０００２】
【従来の技術】
ケーブルを目的位置に心出しして把持するケーブル把持具としては、従来、図７から図９に示すようなものが提供されている。
図７に示すケーブル把持具１は、内側にケーブル２が挿通されるリング状の把持具本体３の周方向３カ所にそれぞれ把持具本体３の半径方向に移動する可動部材４を均等配置し、これら可動部材４によってケーブル２を計３方向から把持して目的位置に心出しするものである。
【０００３】
図８に示すケーブル把持具５は、同一直線上に配置した互いに接近離間自在な一対の可動部材６の間にケーブル２を把持して心出しするものである。各可動部材６のケーブル２に当接される当接面には、ケーブル２外周面とほぼ一致する湾曲半径で湾曲された鬼目プレート７が取り付けられている。鬼目プレート７は、ケーブル２の把持時に、ケーブル２を可動部材６の移動方向に垂直の方向に位置決めするようになっている。
【０００４】
図９に示すケーブル把持具８は、ケーブル２の外周面とほぼ一致する形状に湾曲された湾曲部９を中央部に有する一対の把持プレート１０によって構成され、双方の把持プレート１０の湾曲部９間にケーブル２を把持することにより心出しするようになっている。
【０００５】
【発明が解決しようとする課題】
ところで、図７および図８記載のケーブル把持具１、５の場合、いずれも複数の可動部材４、６の移動量を調整してケーブル２を把持する構成なので、ケーブル２の心出しが難しい上、各可動部材４、６の操作用のスペースをケーブル把持具１、５の周囲の複数箇所に確保する必要があるので、上向きの操作や周囲の構造物との干渉を生じやすく、全ての可動部材４、６に対して良好な操作性を確保することが困難であるといった問題があった。前記問題に鑑みて、一つの部材を操作するだけで全ての可動部材４、６を同時に移動操作する機構を設置することも考えられるが、ケーブル把持具１、５の大型化やコストの増大を招く上、架空ケーブルのクロージャ等に適用した場合にはケーブル把持具１、５の重量の増大によってケーブル２の垂れ下がり等の原因になるため、問題の根本的な解決に至らない。
図９記載のケーブル把持具８の場合、ケーブル２の径や断面形状に対応して多数のタイプの把持プレート１０を用意する必要があり、コストの面で不利であるといった問題があった。
【０００６】
本発明は、前述の課題に鑑みてなされたもので、ケーブルの心出しを効率良く行うことができる、しかも低コストで製造することができるケーブル把持具を提供することを目的とするものである。
【０００７】
【課題を解決するための手段】
本発明は、前記課題を解決するため、以下の構成を採用した。
すなわち、請求項１記載のケーブル把持具では、ケーブルを目的位置に心出しして把持するケーブル把持具であって、ケーブル把持位置の近傍に配置される把持具本体と、該把持具本体に固定され、ケーブル外周面と当接されることによりケーブルをその断面方向の少なくとも１方向に位置決めする支圧面を有する支圧部材と、心出しの目的の軸線を介して支圧面に対向配置させて前記把持具本体に取り付けられ、支圧面に対して接近することにより支圧部材との間にケーブルを把持する可動部材とを具備し、支圧部材と可動部材との間にケーブルを把持した時に、双方の間にケーブルをその断面方向に位置決めして心出しするように構成しており、さらに、支圧部材を可動部材の移動軸線に沿った方向での位置を調整して把持具本体に固定するための固定手段を具備することを前記課題の解決手段とした。
請求項２記載の発明は、請求項１記載のケーブル把持具において、前記固定手段が、前記把持具本体に該把持具本体の側面から入れられるネジ又はピンであることを特徴とする。
請求項３記載の発明は、請求項２記載のケーブル把持具において、支圧部材は、把持具本体に貫通された貫通穴に挿通された支持バーを有し、支持バーの側面には、把持具本体に形成されたピン挿通孔を介して挿入される前記固定手段としての前記ピンと係合するピン係合穴が該支持バーの長手方向の複数箇所に開口され、選択したピン係合穴にピンを挿入することで可動部材の移動軸線に沿った方向での支圧部材の位置決めを行えるようになっていることを特徴とする。
請求項４記載の発明は、請求項１記載のケーブル把持具において、支圧部材は、表面の長手方向複数箇所に角溝が形成された係合バーを有しており、係合バーを把持具本体の側部に突設された一対の支持レールの間に挿入し、選択した角溝を支持レールに挿入して前記固定手段としての前記支持レールに係合バーを係合することで、可動部材の移動軸線に沿った方向での支圧部材の位置決めを行えるようになっていることを特徴とする。
請求項５記載の発明は、ケーブルを目的位置に心出しして把持するケーブル把持具であって、ケーブル把持位置の近傍に配置される把持具本体と、該把持具本体に固定され、ケーブル外周面と当接されることによりケーブルをその断面方向の少なくとも１方向に位置決めする支圧面を有する支圧部材と、心出しの目的の軸線を介して支圧面に対向配置させて前記把持具本体に取り付けられ、支圧面に対して接近することにより支圧部材との間にケーブルを把持する可動部材とを具備し、支圧部材と可動部材との間にケーブルを把持した時に、双方の間にケーブルをその断面方向に位置決めして心出しするように構成しており、互いに並行する複数本のケーブルの間に配置される支圧部材の各ケーブルに臨む両側面に支圧面を形成し、各支圧面に対して各ケーブルの心出しの目的の軸線を介して可動部材を対向配置して、支圧部材と各可動部材との間にケーブルを把持することにより心出しするとともに、把持具本体に固定する支圧部材を選択使用することで、支圧部材の両側の支圧面の間の寸法によって支圧部材の両側のケーブルの離間距離を設定できるようになっており、前記支圧部材が、前記把持具本体に該把持具本体の側面からねじ込まれるネジによって把持部本体の側面に固定されるようになっていることを特徴とする。
【００１０】
【発明の実施の形態】
以下本発明のケーブル把持具の第１の実施の形態を、図１（ａ）、（ｂ）から図４を参照して説明する。
図中符号２０は、本実施の形態のケーブル把持具である。本実施の形態のケーブル把持具２０は、光ファイバケーブル２１に装着されるクロージャ２２に適用したものであって、図１（ａ）、（ｂ）に示すように、クロージャ２２の軸方向端部の定位置に固定されたＨ形の台座２３（把持具本体）と、該台座２３のウェブ２４の一側（図２左側）の側面に固定され、光ファイバケーブル２１の外周面と当接されることにより光ファイバケーブル２１をその断面方向の少なくとも１方向に位置決めする支圧面２５を有する支圧部材２６と、心出しの目的の軸線を介して支圧面２５と対向配置され、支圧部材２６との間に光ファイバケーブル２１を把持する可動部材２７とを具備している。
前記台座２３や、支圧部材２６、可動部材２７は、本実施の形態では金属製であるが、金属以外の材料で形成することも可能である。
【００１１】
台座２３のウェブ２４の他側の側面には、従来のケーブル把持具２８が構成されている。該ケーブル把持具２８は、ウェブ２４の上下方向（図１（ｂ）上下）両端からウェブ２４の他側に突設された両フランジ２９にそれぞれ同軸上として螺着して、互いに接近離間自在とされた一対の可動部材３０によって、光ファイバケーブル２１を心出して把持する構成になっている。
【００１２】
支圧部材２６は、ウェブ２４の側面にネジ２６ａによって固定される平板状の固定部３１と、該固定部３１の中央部から垂直に突設された垂設部３２とからなるＴ字状の部材である。垂設部３２の上下（図１（ａ）、（ｂ）中上下）両面には、光ファイバケーブル２１の外周面と概略一致して湾曲された支圧面２５が形成されている。支圧面２５には、光ファイバケーブル２１のシース２１ａ（図１（ａ）参照）に食い込んで、光ファイバケーブル２１を固定する鬼目が形成されている。
【００１３】
ウェブ２４の上下方向両端からウェブ２４の一側に突設された両フランジ３３には、支圧部材２６との間に光ファイバケーブル２１を把持する可動部材２７がそれぞれ螺着されている。各可動部材２７は、螺着の軸線が同一軸線上にあって、スパナ等の工具を用いて回転することにより、支圧面２５に対して接近離間するようになっている。
【００１４】
各可動部材２７の支圧部材２６に臨む先端には、支圧部材２６との間に光ファイバケーブル２１を把持する鬼目プレート３４が取り付けられている。鬼目プレート３４は、支圧面２５と同様の曲率半径で湾曲する円弧板状であって、支圧面２５と対向配置されている。鬼目プレート３４の支圧面２５と対向する面には、光ファイバケーブル２１のシース２１ａを固定する鬼目が形成されている。鬼目プレート３４は、可動部材２７の先端に相対回転自在に取り付けられているので、可動部材２７が支圧部材２６方向にねじ込まれることにより、自身の湾曲の中心軸線と支圧面２５の湾曲の中心軸線との平行を維持しつつ支圧面２５に対して接近離間可能になっている。したがって、可動部材２７は、支圧部材２６の支圧面２５と鬼目プレート３４との間に光ファイバケーブル２１を把持した時に、光ファイバケーブル２１を心出しして把持するようになっている。
【００１５】
なお、垂設部３２は、固定部３１からの突出寸法を延長して、延長部分に支圧面２５を別途増設することも可能である。この時、各支圧面２５に対応して設置した可動部材と支圧面２５との間に光ファイバケーブル２１を把持するので、支圧面２５と可動部材との対を一対増設するごとに、新たに一本の光ファイバケーブル２１の把持が可能となる。こうすることにより、一つの支圧部材によって、３以上の光ファイバケーブル２１を位置決めすることができる。
【００１６】
クロージャ２２は、組み立て、分解可能な円筒状スリーブ３５を主体として構成されている。スリーブ３５の軸方向端部には、クロージャ２２内外に光ファイバケーブル２１を挿通する挿通穴３６および該挿通穴３６と光ファイバケーブル２１との間の水密性を維持する止水材３７が設けられている。挿通穴３６の軸線は、ケーブル把持具２０における光ファイバケーブル２１の心出しの軸線とほぼ同一直線上になっている。
挿通穴３６のスリーブ３５軸方向他端側には、前記ケーブル把持具２０が設けられ、さらに、ケーブル把持具２０のスリーブ３５軸方向他端側には、光ファイバケーブル２１の端末から導出したテンションメンバ３８を把持固定するテンションメンバ固定金具３９が設けられている。テンションメンバ固定金具３９よりスリーブ３５軸方向他端側には、光ファイバケーブル２１端末から導出した光ファイバ４０を他の光ファイバ４０と光接続する図示しない光接続部および接続余長を収納する薄板状のトレー４１が複数枚積層されている。
【００１７】
以下、本実施の形態の作用および効果を説明する。
前記ケーブル把持具２０は、可動部材２７を操作して支圧部材２６と可動部材２７との間に光ファイバケーブル２１を把持することにより、光ファイバケーブル２１を台座２３に対して心出しする。
すなわち、ケーブル把持具２０は、支圧部材２６と可動部材２７との間に光ファイバケーブル２１を導入し、可動部材２７を支圧部材２６に向けて接近する方向に締め付けることにより該光ファイバケーブル２１を把持する。この時、支圧部材２６の支圧面２５の設置位置が光ファイバケーブル２１を上下方向に位置決めするとともに、支圧面２５および可動部材２７の鬼目プレート３４が湾曲によって光ファイバケーブル２１を水平方向に位置決めするので、光ファイバケーブル２１が心出しされる。
【００１８】
支圧部材２６の垂設部３２の両面に互いに対向して形成した支圧面２５によって上下に並行する２本の光ファイバケーブル２１をそれぞれ上下方向に位置決めするので、並行する光ファイバケーブル２１相互の上下方向の離間距離は、垂設部３２の厚さ寸法によって正確かつ容易に設定することができる。支圧部材２６は、ネジ２６ａを操作することにより簡単に交換することができるので、上下に並行する光ファイバケーブル２１相互の目的の離間距離に対応して、適切な厚さ寸法の垂設部３２を有するものを選択して使用することが容易である。
【００１９】
したがって、本実施の形態のケーブル把持具２０によれば、可動部材２７を支圧部材２６に向けて締め付けるだけで、光ファイバケーブル２１を目的位置に心出しして把持することができるので、複数の可動部材を操作する必要がある従来のケーブル把持具に比して心出し作業が容易になるとともに、台座２３の定位置に固定した支圧部材２６を利用して光ファイバケーブル２１を心出しするので心出しの精度も向上する。また、上下に並行する光ファイバケーブル２１相互の離間距離を垂設部３２の厚さ寸法によって設定することができるので、設定する離間距離が小さい場合であっても、各光ファイバケーブル２１を目的位置に正確かつ容易に把持することができる。その結果、ケーブル把持具２０は、光ファイバケーブル２１を挿通穴３６と同軸上に把持して、光ファイバケーブル２１内の光ファイバ４０に曲げや引っ張り等の力が作用することを防止できるとともに、テンションメンバ固定金具３９に対してもテンションメンバ３８を目的の把持位置に容易に位置させることができるので、光ファイバケーブル２１にクロージャ２２を装着する作業の能率を向上することができる。
【００２０】
さらに、ケーブル把持具２０は、二つの可動部材２７を操作するだけで、２本の光ファイバケーブル２１を心出しして把持することができるので、図７や図８に示す従来のケーブル把持具に比して操作数が大幅に減少して光ファイバケーブル２１の心出しを効率良く行うことができるとともに、可動部材２７の操作が周囲の部材との干渉を回避することが容易なので、心出しの作業性を一層向上することができる。
また、ケーブル把持具２０は、部品点数が少ないので、全体を小型化や低コスト化することが容易である。
【００２１】
図２から図４は、支圧部材の他の態様を示す。
図２から図４に示す支圧部材４２は、Ｌ字板状の金具である支圧部材本体４３を主体として構成されている。支圧部材本体４３は、Ｌ字の一側が台座２３のウェブ２４の側面に装着される固定部４４とされ、他側が台座２３から垂直に突設される垂設部４５とされている。垂設部４５の、支圧部材４２の内角側に臨む上面には、図３に示すような鬼目プレート４６または、図４に示すような鬼目支持台４７が装着されるようになっている。
【００２２】
支圧部材本体４３の固定部４４には、ウェブ２４へのネジ止め位置を上下方向で調整するための長穴４８が開口されている。支圧部本体４３は、長穴４８の長さの範囲で、ネジ２６ａによってウェブ２４の適宜位置に取り付けられるようになっている。支圧部材本体４３の固定部４４の外側面には、図２に示すように、ウェブ２４に一定のピッチで複数突設された位置決め突起４９と噛み合うことにより、支圧部材４２を目的位置に位置決めする係合凹部５０が形成されている。位置決め突起４９は、断面山形の突起であり、該位置決め突起４９に適合するＶ溝状に形成された係合凹部５０と噛み合わされることにより、支圧部材４２を目的位置に正確に位置決めするようになっている。なお、位置決め突起４９の形成ピッチは、一定でなくてもよい。
【００２３】
ウェブ２４には、支圧部材４２の取付位置に対応する光ファイバケーブル２１の径を表す目盛り５１が、位置決め突起４９のピッチに合わせて表示されている。目盛り５１は、位置決め突起４９の形成ピッチが一定で無い場合には、光ファイバケーブル２１の径を各位置決め突起４９に対応して表示するようにしてもよい。
長穴４８とネジ２６ａとは、支圧部材４２を可動部材２７の移動軸線に沿った複数位置で台座２３に位置決めして固定する固定手段を構成している。
【００２４】
前記支圧部材４２を用いて光ファイバケーブル２１を把持固定する場合は、鬼目プレート４６または鬼目支持台４７を支圧面として、これに対応する可動部材２７の鬼目プレート３４との間に光ファイバケーブル２１を把持する。上下に並行する２本の光ファイバケーブル２１を把持する場合には、それぞれの光ファイバケーブル２１に対応して支圧部材４２をウェブ２４に取り付け、支圧部材４２と可動部材２７の対を２対形成する。
こうすることにより、並行する２本の光ファイバケーブル２１間の離間距離が大きい場合であっても、厚さ寸法の大きい垂設部３２を有する支圧部材２６の使用を回避して、全体の重量の増大を防止することができる。また、個々の光ファイバケーブル２１の交換を自由に行うことができる。
【００２５】
以下本発明のケーブル把持具の第２の実施の形態を図５を参照して説明する。
なお、図中図１（ａ）、（ｂ）から図４と同一の構成部分には同一の符号を付し、その説明を簡略化する。
図中符号６０はケーブル把持具を構成する台座（把持具本体）、６１は支圧部材である。
台座６０は、図５に示すように、互いに平行に配置された一対のフランジ板６２ａ、６２ｂをウェブ６３で連結して構成した概略Ｉ字状の部材である。フランジ板６２ａ、６２ｂは、それぞれ細長長方形状の板材であって、一方のフランジ板６２ａの端部には可動部材２７が螺合され、他方のフランジ板６２ｂの端部には可動部材２７との間に光ファイバケーブル２１を把持して心出しする支圧部材６１が設けられている。これら可動部材２７と支圧部材６１とは、光ファイバケーブル２１の心出し軸線に対する垂直な同一軸線上を移動可能になっている。可動部材２７は、回転することにより、適切位置に位置決め支持された支圧部材６１に対して接近、離間するようになっている。
【００２６】
支圧部材６１は、他方のフランジ板６２ｂに貫通された貫通穴６４に移動自在に挿通されたロッド状の支持バー６５と、該支持バー６５の先端に可動部材２７の鬼目プレート３４と対向させて取り付けられた鬼目プレート６６とを具備している。鬼目プレート６６は、光ファイバケーブル２１の外周面に概略沿って湾曲して、光ファイバケーブル２１と当接した時に光ファイバケーブル２１を位置決めする支圧面を構成している。
支持バー６５の側面には、他方のフランジ板６２ｂに形成されたピン挿通孔６７を介して挿抜自在に挿入されるピン６８と係合するピン係合穴６９が長手方向の複数箇所に開口されている。支持バー６５は、選択したピン係合穴６９にピン６８を挿入して位置決めすることにより、鬼目プレート６６を光ファイバケーブル２１の心出し完了時の外周面位置に位置決めして支持するようになっている。
鬼目プレート６６の支持位置は、ピン６８と係合するピン係合穴６９を変更することにより、容易に設定し直すことができる。ピン６８は、支圧部材６１を位置決め固定するための固定手段として機能する。
【００２７】
したがって、本実施の形態のケーブル把持具によれば、ピン６８とピン係合穴６９との係脱のみによって支圧部材６１を位置決めすることができ、しかもピン６８とピン係合穴６９との係脱作業を他方のフランジ板６２ｂの端部で行うことができ、第１の実施の形態のケーブル把持金具２０に比して支圧部材６１の位置決めの作業性が向上する。
【００２８】
以下本発明のケーブル把持具の第３の実施の形態を図６を参照して説明する。
なお、図中図５と同一の構成部分には同一の符号を付し、その説明を簡略化する。
図中符号７０はケーブル把持具を構成する台座（把持具本体）、７１は支圧部材である。
台座７０は、図６に示すように、図５記載の台座６０の他方のフランジ板６２ｂを、図中符号７２の係合支持板に変更したものである。係合支持板７２は、細長の板材であって、長手方向端部に突設した一対の支持レール７３の間に挿入された支持部材７１を一方のフランジ板６２ａに螺着した可動部材２７の移動軸線上に支持するようになっている。支持レール７３は、支圧部材７１を位置決め固定するための固定手段として機能する。
【００２９】
支圧部材７１は、図５記載の支圧部材６１の支持バー６５を、図中符号７４の係合バーに変更したものである。係合バー７４は、表面の長手方向複数箇所に、支持レール７３が挿入可能な角溝７５が形成された概略円柱状のロッドである。支圧部材７１は、係合バー７４を支持レール７３の間の最奥部に挿入することにより、係合バー７４がその直径方向両側で角溝７５に挿入された支持レール７３と係合して、可動部材２７の移動軸線上に安定に支持されるようになっている。また、支持部材７１は、係合バー７４を支持レール７３の対に対して挿抜して、支持レール７３に係合する角溝７５を変更することにより、鬼目プレート６６の支持位置を角溝７５の形成ピッチに従って多段に変更することができるようになっている。
【００３０】
したがって、本実施の形態のケーブル把持具によれば、係合バー７４を支持レール７３の対に対して挿抜するだけで、鬼目プレート６６を目的の支持位置に位置決めすることができるので、鬼目プレート６６の支持位置の調整の作業性が一層向上する。また、角溝７５の形成ピッチは、第２の実施の形態のケーブル把持具のピン係合穴６９に比して細かくすることが容易であるので、鬼目プレート６６の支持位置を細かく設定することができ、光ファイバケーブル２１の径や断面形状に対する汎用性が向上する。
【００３１】
なお、本発明のケーブル把持具は、光ファイバケーブル以外の各種メタルケーブルにも適用することができる。また、本発明のケーブル把持具は、クロージャ以外の各種構成物に適用することができる。
【００３２】
【発明の効果】
以上説明したように、本発明によれば、ケーブル把持位置の近傍に配置される把持具本体と、該把持具本体の定位置に固定され、ケーブル外周面と当接されることによりケーブルをその断面方向の少なくとも１方向に位置決めする支圧面を有する支圧部材と、心出しの目的の軸線を介して支圧面に対向配置され、支圧面に対して接近することにより支圧部材との間にケーブルを把持する可動部材とを具備し、支圧部材と可動部材との間にケーブルを把持した時に、双方の間にケーブルをその断面方向に位置決めして心出しするように構成したことにより、可動部材を操作するだけでケーブルを心出しして把持することができるので、把持の作業性が向上するとともに、可動部材の操作が把持具の周囲の部材との干渉することを容易に回避することができる。また、位置決めの完了した支圧部材を利用してケーブルを心出しするので、ケーブルの心出しの精度が向上する上、部品点数が減少するので、小型化や低コスト化が容易にできるといった優れた効果を奏する。
【００３３】
また、本発明によれば、支圧部材を可動部材の移動軸線に沿った複数位置で把持具本体に位置決めして固定する固定手段を具備し、該固定手段によって、ケーブルの径や断面形状に対応して支圧部材を位置決め固定するので、ケーブル径に対する汎用性が向上するとともに、支圧部材の位置決め固定の作業性を向上することができるといった優れた効果を奏する。
【００３４】
また、本発明によれば、互いに並行する複数本のケーブルの間に配置される支圧部材の各ケーブルに臨む両側面に支圧面を形成し、各支圧面に対して各ケーブルの心出しの目的の軸線を介して可動部材を対向配置して、支圧部材と各可動部材との間にケーブルを把持することにより心出しするように構成した構成を採用すると、ケーブルと同数の可動部材を操作するだけで複数本のケーブルを効率良く心出しすることができるとともに、支圧部材の厚さ寸法によって並行するケーブル相互を目的の離間距離に保持することができ、並行する複数本のケーブル相互の離間距離に対する汎用性が向上する。また、複数本のケーブルを把持する場合には、ケーブルの本数より少ない数の支圧部材で位置決めすることができるので、従来のケーブル把持具に比して小型化することが容易であるといった優れた効果を奏する。
【図面の簡単な説明】
【図１】本発明のケーブル把持具の第１の実施の形態を示す図であって、（ａ）は光ファイバケーブルに装着したクロージャを示す正断面図、（ｂ）は（ａ）の側断面図である。
【図２】本発明のケーブル把持具の第１の実施の形態を示す図であって、支圧部材の他の態様を示す側面図である。
【図３】本発明のケーブル把持具の第１の実施の形態を示す図であって、支圧部材の他の態様を示す斜視図である。
【図４】本発明のケーブル把持具の第１の実施の形態を示す図であって、支圧部材の他の態様を示す斜視図である。
【図５】本発明のケーブル把持具の第２の実施の形態を示す斜視図である。
【図６】本発明のケーブル把持具の第３の実施の形態を示す斜視図である。
【図７】従来例のケーブル把持具を示す図であって、３つの可動部材の間にケーブルを心出しして把持する構成のケーブル把持具を示す正断面図である。
【図８】従来例のケーブル把持具を示す図であって、２つの可動部材の間にケーブルを心出しして把持する構成のケーブル把持具を示す正断面図である。
【図９】従来例のケーブル把持具を示す図であって、２つの把持プレートの間にケーブルを心出しして把持する構成の把持プレートを示す正断面図である。
【符号の説明】
２０…ケーブル把持具、２１…光ファイバケーブル、２３…把持具本体（台座）、２５…支圧面、２６…支圧部材、２６ａ…固定手段（ネジ）、２７…可動部材、４２…支圧部材、４６…支圧面（鬼目プレート）、４７…支圧面（鬼目支持台）、４８…固定手段（長穴）、６０…把持具本体（台座）、６１…支圧部材、６６…支圧面（鬼目プレート）、６８…固定手段（ピン）、７０…把持具本体（台座）、７１…支持部材、７３…固定手段（支持レール）。
【図１】
0003623296.tif 000002
【図２】
0003623296.tif 000003
【図３】
0003623296.tif 000004
【図４】
0003623296.tif 000005
【図５】
0003623296.tif 000006
【図６】
0003623296.tif 000007
【図７】
0003623296.tif 000008
【図８】
0003623296.tif 000009
【図９】
0003623296.tif 000010